(57)【要約】【課題】多数の苗を、簡単かつ容易に、しかも根の損傷することなく能率よく育苗する。【解決手段】親株栽培床２の下に、棚６に複数の苗ポット７を脱着できるように並べて多段の子株用栽培床５とし、各苗ポット７の培地２５には養液チューブ９で養液を供給し、親株栽培床２の親株１から延びるランナー３から発生する子株４を各苗ポット７に植え付けし、ランナー固定具２１でランナー３と養液チューブ９を苗ポット７の定位置に配置して子株４を苗ポット７で生育させた後、ランナー３を切断して子株４を苗ポット７で生育し、子株４の生育した苗ポット７を棚６から取り出して育苗する。【選択図】図２
2018174805.tif 000002
【特許請求の範囲】
【請求項１】
水平に配置させて複数の親株が長手方向に並べて植え付けられる親株用栽培床と、
前記親株用栽培床の下方に、前記親株用栽培床と平行な姿勢で上下に離して多段に配設され、かつ前記親株用栽培床の親株から延びるランナーを介して成長する子株を植え付けする培地を充填してなる子株用栽培床とを備える栽培装置を使用して親株から複数の子株を生育させる植物の生育方法であって、
前記子株用栽培床を、長手方向に延びる棚と、前記棚の長手方向に並べて前記棚に脱着自在に配置してなる複数の苗ポットとで構成し、
各々の苗ポットには培地を充填して、前記培地には養液チューブを介して子株を生育させる養液を供給し、
前記親株用栽培床に植え付けしている各親株から延びるランナーに発生する個々の子株を各苗ポットに分割して植え付けすると共に、各苗ポットに植え付けされる子株に繋がっているランナーを、苗ポットの培地に挿入されて定位置に配置される挿入アンカーを備えるランナー固定具で苗ポットに固定し、さらに、前記ランナー固定具でもって各苗ポットに配置してなる前記養液チューブを各苗ポットの定位置に配置し、前記ランナー固定具で前記ランナーと前記養液チューブとを前記苗ポットの定位置に配置して、子株を苗ポットで生育し、子株の生育した前記苗ポットのランナーを切断して前記棚から取り出することを特徴とする育苗方法。
【請求項２】
請求項１に記載される育苗方法であって、
前記親株用栽培床に植え付けする親株をイチゴとすることを特徴とする育苗方法。
【請求項３】
請求項１または２に記載される育苗方法であって、
前記養液チューブが一定の間隔で養液の灌水口を設けてなる灌水チューブで、前記灌水口を前記苗ポットの培地に配置するように前記ランナー固定具でもって前記灌水チューブを苗ポットに配置することを特徴とする育苗方法。
【請求項４】
請求項１又は２に記載される育苗方法であって、
前記養液チューブが点滴ホースで、前記点滴ホースが養液を前記苗ポットに注液する位置に前記ランナー固定具が前記点滴ホースを前記苗ポットに配置することを特徴とする育苗方法。
【請求項５】
請求項１ないし４のいずれかに記載される育苗方法であって、
前記苗ポットで生育した子株のランナーを切断すると共に、前記ランナー固定具を培地から引き抜いて前記棚から取り出することを特徴とする育苗方法。
【請求項６】
請求項１ないし５のいずれかに記載される育苗方法であって、
前記棚から取り出した苗ポットを子株の根鉢を崩さない状態で定植することを特徴とする育苗方法。
【発明の詳細な説明】
【技術分野】
【０００１】
本発明は、主としてイチゴの育苗方法に関する。
【背景技術】
【０００２】
イチゴ等のように、親株からランナーから多数の子株を発生する植物の育苗装置は開発されている。（特許文献１、２参照）
特許文献１の育苗装置は、図９に示すように、親株用栽培床の両側に透水性シート１５を垂らし、親株から下方に延びるランナーに発生する子株を、透水性シート１５に植え付けして生育される。
また、特許文献２の育苗装置は、図１０に示すように、親株用栽培床の両側に、多段に樋形の子株用栽培床１６を設け、樋形の子株用栽培床１６には培地と養液供給し、親株用栽培床１７の親株１８から延びるランナーに発生する子株を、子株用栽培床の培地に植え付けして育苗する。
【先行技術文献】
【特許文献】
【０００３】
【特許文献１】特開平７−３２７４８０号公報
【特許文献２】特開平１０−５２１７１号公報
【発明の開示】
【発明が解決しようとする課題】
【０００４】
以上の育苗装置を使用する育苗方法は、子株用栽培床を多段に配置し、親株から垂れ下がるように成長するランナーに発生する複数の子株を、子株用栽培床の培地に植え付けして育苗するので、狭い面積で多数の苗を成長できる特徴がある。しかしながら、この育苗方法は、子株用栽培床で成長した苗を定植するのに手間がかかる欠点がある。それは、引用文献１の育苗方法では、透水性シート１５にランダムに分散して子株が成長するので、各々の苗を分離して定植するために、苗の位置を考慮して、すなわち、各々の苗を分離するように透水性シート１５を切断する必要があって、この作業に著しく手間がかかるからである。また、引用文献２の育苗方法においても、樋形の子株用栽培床の培地に成長した各々の苗を分割して定植するので、苗の分離に著しく手間がかかる欠点がある。さらに、苗の分割作業において、根の損傷を防止しながら、透水性シート１５を切断し、あるいは培地を分割する必要があるので、慎重に分割する必要があり、また分割作業における根の傷つきは、定植後の生育を阻害する弊害となる。
【０００５】
本発明の第１の目的は以上の欠点を解決することを目的に開発されたものである。本発明の重要な目的は、子株用栽培床で生育された多数の苗を、簡単かつ容易に、しかも根を損傷することなく高能率に育苗できる育苗方法を提供することにある。
【０００６】
さらに、本発明の第２の目的は、多数の苗ポットを配列しながら、各々の苗ポットで安定して生育状態の優れた子株を生育できる育苗方法を提供することにある。
【課題を解決するための手段及び発明の効果】
【０００７】
本発明の植物の育苗方法は、水平に配置させて複数の親株１を長手方向に並べて植え付ける親株栽培床２と、親株栽培床２の下に、親株栽培床２と平行な姿勢で上下に離して多段に配設され、また親株栽培床２の親株１から延びるランナー３を介して成長する子株４を植え付けする培地を充填している子株用栽培床５とを備える栽培装置を使用して親株１から複数の子株４を生育させる。この育苗方法は、子株用栽培床５を、長手方向に延びる棚６と、棚６の長手方向に並べて棚６に脱着自在に配置してなる複数の苗ポット７とで構成し、各々の苗ポット７には培地を充填して、培地には子株４を生育させる養液を供給し、親株栽培床２に植え付けしている各親株１から延びるランナー３に所定の間隔で発生する子株４を各苗ポット７に分割して植え付けして、各苗ポットに植え付けする子株４に繋がっているランナー３を、苗ポット７の培地に挿入されて定位置に配置する挿入アンカー２２を備えるランナー固定具２１で苗ポット７に固定し、さらに、ランナー固定具２１でもって各苗ポット７に配置している養液チューブ９を各苗ポット７の定位置に配置し、ランナー固定具２１でランナー３と養液チューブ９の両方を苗ポット７の定位置に配置して、苗ポット７に子株４を植え付けし、その後、ランナー３を切断して子株４を苗ポット７で生育し、子株４の生育した苗ポット７を棚６から取り出することを特徴とする。
【０００８】
以上の育苗方法は、子株用栽培床で育苗された多数の苗を、簡単かつ容易に、しかも根の損傷を皆無にして分離して取り出しできる特徴がある。それは、以上の育苗方法が、子株用栽培床５を、長手方向に延びる棚６と、棚６の長手方向に並べて棚６に脱着自在に配置してなる複数の苗ポット７とで構成し、各々の苗ポット７には培地を充填して、培地には養液を供給して、親株栽培床２の親株１から延びるランナー３から発生する子株４を各々の苗ポット７に分割して植え付けし、苗ポット７で子株４を苗に成長させた後、ランナー３を切断して苗ポット７を棚６から取り出して、生育させる培地に定植できるからである。
【０００９】
さらに、以上の育苗方法は、子株用栽培床に多数の苗ポットを配置して、各々の苗ポット７で安定して生育状態の優れた子株を生育できる特徴も実現する。それは、以上の育苗方法が、ランナー固定具２１の挿入アンカー２２を苗ポット７の培地２５に挿入し、このランナー固定具２１でもって、子株４に繋がっているランナー３に加えて、養液チューブ９を苗ポット７の最適位置に配置して、子株４に繋がっているランナー３の風等にる移動を阻止し、さらに、各々の苗ポット７の培地２５の最適位置に安定して養液を供給して各苗ポット７で子株４を生育できるからである。子株用栽培床５に多数の苗ポット７を並べて子株４を能率よく育苗する方法において、全ての苗ポット７で子株４を安定して生育させることが大切であるが、このことを実現するには、ランナーに繋がっている子株を培地で移動させることなく、また全ての苗ポットに均一に、斑無く、しかも最適位置に養液を供給することが大切である。本発明の育苗方法は、培地２５に挿入アンカー２２を挿入するランナー固定具２１でもって、子株４に繋がっているランナー３を固定し、固定されるランナー３を介して子株４の移動を阻止し、さらに、このランナー固定具２１でもって養液チューブ９も苗ポット７の最適位置に配置する。したがって、子株用栽培床５に多数の苗ポット７を並べて多数の子株４を能率よく生育させながら、全ての苗ポット７において子株４を理想的な状態で生育できる特徴がある。とくに、以上の育苗方法は、ランナー固定具でもってランナーと養液チューブの両方を培地に固定するので、ランナーと養液チューブとの相対位置を特定できる。このことは、ランナー３を介して子株４の位置を特定し、さらに、養液チューブ９を固定して養液の供給位置を特定できるので、子株４と養液の供給位置との相対位置がずれることなく、子株４を定位置に配置して、子株には理想的な位置に養液を供給でき、全ての子株が理想的な状態で生育する特徴を実現する。
【００１０】
さらに以上の育苗方法は、ランナー固定具２１でもって子株４と養液チューブ９の両方を苗ポット７の最適位置に配置するので、ランナー固定具２１で定位置に保持される養液チューブ９でもって、養液を培地２５の理想的な位置に供給して、養液の飛沫感染で発生する炭疽病などの病気の汚染を防止して、子株を元気に生育できる特徴がある。
【００１１】
本発明の育苗方法は、親株栽培床２に植え付けする親株１をイチゴとすることができる。
【００１２】
本発明の育苗方法は、一定の間隔で養液の灌水口を設けている灌水チューブを養液チューブ９として、灌水口を苗ポット７の培地２５に配置するようにランナー固定具２１でもって灌水チューブを苗ポット７に配置することができる。また、本発明の育苗方法は、点滴ホースを養液チューブ９として、点滴ホースが養液を注液する位置とするように養液チューブとランナー３とをランナー固定具２１で苗ポット７に配置することができる。
【００１３】
本発明の育苗方法は、苗ポット７で生育した子株４のランナー３を切断すると共に、ランナー固定具２１を培地２５から引き抜いて棚６から取り出すことができる。また、本発明の育苗方法は、棚６から取り出した苗ポット７を子株の根鉢を崩さない状態で定植することができる。
【００１４】
本発明の育苗方法は、棚６から取り出した苗ポット７を子株４を入れた状態で、あるいは苗ポット７から取り出して定植することができる。
【図面の簡単な説明】
【００１５】
【図１】本発明の実施例にかかる育苗方法に使用される育苗装置の側面図である。
【図２】図１に示す育苗装置の鎖線Ａで示す棚部分を示す正面図である。
【図３】図２に示す育苗装置の棚の載せ台の底面図である。
【図４】図１に示す育苗装置の正面図である。
【図５】本発明の他の実施例にかかる育苗方法に使用される育苗装置の側面図である。
【図６】ランナー固定具の使用状態を示す断面図である。
【図７】他の構造のランナー固定具の使用状態を示す断面図である。
【図８】他の構造のランナー固定具の使用状態を示す断面図である。
【図９】従来の育苗装置の斜視図である。
【図１０】従来の他の育苗装置の斜視図である。
【発明を実施するための形態】
【００１６】
以下、本発明の実施例を図面に基づいて説明する。ただし、以下に示す実施例は、本発明の技術思想を具体化するための育苗方法を例示するものであって、本発明は育苗方法を以下の方法や装置に特定しない。
【００１７】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
以下、本発明の育苗方法に使用する育苗装置を図１ないし図５に示す。以下、イチゴの育苗方法に詳述する。ただ、本発明の育苗方法は育苗する植物をイチゴに特定するものでなく、親株からランナーが伸びて子株を苗に生育できる他の全ての植物の育苗方法として利用できる。
【００１９】
以上の育苗装置は、水平に配置させて複数の親株１が長手方向に並べて植え付けられる親株栽培床２と、親株栽培床２の下方に、親株栽培床２と平行な姿勢で上下に離して多段に配設され、かつ親株栽培床２の親株１から延びるランナー３を介して成長する子株４を植え付けする培地を充填してなる子株用栽培床５と、親株栽培床２及び子株用栽培床５を水平姿勢に配置する支持フレーム８とを備える。
【００２０】
図１の支持フレーム８は、上端部を連結してハ字状に連結している一対の垂直フレーム１２を備える。一対の垂直フレーム１２はアンカーロッド３６を介して垂直面内に固定される。一対の垂直フレーム１２は、子株用栽培床５の長手方向の両端部にあって、子株用栽培床５を水平姿勢に支持する。長い子株用栽培床５にあっては、両端部のみでなくその中間部にも垂直フレーム１２を配置して、子株用栽培床５を水平姿勢に支持する。垂直フレーム１２は金属パイプで、上下の両端部に折曲部１２Ａを設けている。下端の折曲部１２Ａは、アンカーロッド３６に挿入されて地面に固定され、上端の折曲部１２Ａは、水平フレームを介して連結されて、親株用栽培床２を配置している。アンカーロッド３６は垂直フレーム１２の内側に挿入できる外形で、垂直フレーム１２よりも僅かに細いパイプやロッドである。この支持フレームは、アンカーロッド３６を地面に垂直に、あるいはほぼ垂直に打ち込んで固定し、アンカーロッド３６に垂直フレーム１２下端の折曲部１２Ａを挿入して、垂直フレーム１２を簡単に垂直面内に設置できる。下端部に折曲部１２Ａを設けている垂直フレーム１２は、アンカーロッド３６の挿入位置を特定できる。アンカーロッド３６が折曲部１２Ａよりも上には挿入されないからである。
【００２１】
支持フレーム８は、下段の子株用栽培床５を上段の子株用栽培床５よりも外側に配置するために、下端の内幅（Ｗ１）を上端の内幅（Ｗ２）よりも広くして、垂直面内に配置している垂直フレーム１２を傾斜角（α）で傾斜させている。垂直フレーム１２の傾斜角（α）は、アンカーロッド３６の打ち込み位置と角度とを調整して自由に変更できる。以上の垂直フレーム１２は簡単に、しかも地面に移動しないように確実に安定して固定できる特徴がある。
【００２２】
以上の支持フレーム８は、アンカーロッド３６を地面に垂直姿勢に、あるいはほぼ垂直姿勢に打ち込んで固定し、固定されたアンカーロッド３６に垂直フレーム１２の折曲部１２Ａを挿入して、垂直面内に立てられる。垂直に立てられた一対の垂直フレーム１２は、上端を水平フレームで連結して垂直面内に固定される。
【００２３】
親株栽培床２は上方開口の樋形で、支持フレーム８の最上部に水平姿勢に配置される。親株栽培床２は、内部に用土等の培地を充填して、培地にイチゴなどの親株１が一定の間隔で植え付けされる。親株１は、イチゴなどの果実を収穫した後に親株栽培床２に植え付けられる。果実の収穫時に発生するランナー３は、果実の生育を優先して切断されるからである。ただ、果実を収穫しながらランナー３を成長させて子株４から育苗することもできる。親株栽培床２に植え付けられた親株１は、ランナー３が垂れ下がるように延びて一定の間隔で子株４が発生する。
【００２４】
子株用栽培床５は、親株用栽培床２と子株用栽培床５の長手方向に配列している棚６に、長手方向に並べている複数の苗ポット７を脱着できるように並べている。苗ポット７は、棚６に隙間なく並べられる。ランナー３から発生する子株４を効率よく苗ポット７に植え付けするためである。たとえば、苗ポット７は５ｃｍ〜１０ｃｍの間隔で棚６に並べられる。図１ないし図３に示す棚６は、支持フレーム８に固定している載せ台６Ａに雨樋６Ｂを載せて、載せ台６Ａと雨樋６Ｂとで、水平姿勢で多段に設けられる。載せ台６Ａは、支持フレーム８に外側に水平方向に突出するように固定される。棚６は、親株栽培床２の両側に多段に水平姿勢で配設される。図の栽培装置は、両側に各々５段の棚６を設けている。支持フレーム８は裾広がり状として、多段の棚６を階段状に、すなわち下段の棚６を上段の棚６よりも外側に配置して、ランナー３から発生する子株４を確実に苗ポット７に植え付けするようにしている。
【００２５】
棚６は、苗ポット７を安定して載せることができるように、載せ台６Ａと建物の雨樋６Ｂとで設けられる。載せ台６Ａは横断面形状をＴ字状とする細長いプラスチックの成形品で、載せプレート３７の下面に長手方向に延びる垂直リブ２９を一体的に成形して設けている。この形状の載せ台６Ａは、建物に電線を固定する「ビームラックル」の呼び名の配線具として市販される部品が使用できる。載せ台６Ａは、垂直リブ２９の連結端をサドル３０を介して支持フレーム８に連結している。
【００２６】
サドル３０は、帯状の金属板を中間でＵ曲して両端部を一対のアーム部３１とするもので、Ｕ曲部の内側に支持フレーム８を案内し、アーム部３１を挟着して支持フレーム８の垂直フレーム１２に固定される。垂直フレーム１２は金属パイプで、Ｕ曲部は金属パイプに沿う曲率半径でＵ曲されている。Ｕ曲部から延びる一対のアーム部３１には連結ネジ３２が貫通され、この連結ネジ３２にナットがねじ込まれて、Ｕ曲部は垂直フレーム１２に固定される。さらに、連結ネジ３２は、サドル３０のアーム部３１を、垂直リブ２９の端部に連結する。この連結ネジ３２は、サドルのＵ曲部を支持フレーム８に固定し、さらに、アーム部３１の先端を載せ台６Ａの垂直リブ２９に固定するので、１組の連結ネジ３２でもって、サドルのＵ曲部を支持フレーム８に固定して、アーム部３１の先端部を載せ台６Ａに固定する。図示しないが、サドルを支持フレームに固定するネジと、サドルのアーム部を垂直リブに固定するネジとを別々に設けて、サドルを垂直フレームに、アーム部を垂直リブに固定することもできる。サドルを介して載せ台を支持フレームに連結する構造は、載せ台を垂直フレームの上下に移動して自由な位置に固定できるので、垂直フレームに多段に設ける棚の位置と段数とを自由に調整できる。とくに設置現場において、棚の位置と段数を自由に調整できる。
【００２７】
載せ台６Ａは、連結ネジ３２を回転中心として、水平姿勢を調整できるように垂直フレーム１２に連結される。この載せ台６Ａは、連結ネジ３２を緩めて載せプレート３７を水平姿勢に調整し、その後連結ネジ３２にナットをねじ込んで載せプレート３７を水平姿勢として支持フレーム８に固定する。載せ台６Ａは、載せプレート３７に雨樋６Ｂを載せ、この雨樋６Ｂに複数の苗ポット７を載せて子株４を生育させる。
【００２８】
一端を支持フレーム８に連結している載せ台６Ａは、上に載せられる部材の重量で垂れ下がると、載せプレート３７を水平姿勢に維持できない。載せプレート３７を水平姿勢に維持するために、垂直リブ２９には支持フレーム８に向かって延びる支持ネジ３４を固定アーム３５を介して連結している。支持ネジ３４は、先端を垂直フレーム１２に押し付けて、載せ台６Ａの垂れ下がりを阻止する。支持ネジ３４は、サドル３０の連結位置から離れた位置、図２においては垂直リブ２９の中央部に下方に伸びる姿勢に固定している固定アーム３５の下端部に設けた雌ネジ部にねじ込まれて、載せ台６Ａを水平姿勢に維持する。支持ネジ３４は、回転されて軸方向に移動して、載せ台６Ａの水平姿勢を調整する。以上の載せ台６Ａは、支持ネジ３４を回転し、軸方向に移動させて載せ台６Ａを水平姿勢に維持できる。また、垂直フレーム１２の傾斜角が変更しても、載せ台６Ａを水平姿勢に調整できる。支持フレーム８は、栽培状態で棚７の段数を変更し、また棚７の段数や生育させる植物の種類、大きさ、形態などで傾斜角（α）を最適な角度に調整して使用される。連結ネジ３２を回転中心として載せ台６Ａを垂直面内で傾動して載せプレート３７は水平姿勢に調整される。また、支持ネジ３４を回転して載せプレート３７を水平に調整できるできる載せ台６Ａは、傾斜角（α）が異なる垂直フレーム１２に連結されて、常に水平姿勢に配置でき、また、重い部材を載せて水平姿勢に保持できる特徴がある。
【００２９】
以上の棚は、市販されている配線具を載せ台６Ａに使用して、その上に建物用の雨樋６Ｂを載せる構造とするので、載せ台６Ａと雨樋６Ｂの両方を既製の市販部品を使用して、部品コストを低減して、高品質にできる特徴がある。ただ、棚６は建物用の配線具や雨樋６Ｂに特定するものでなく、苗ポット７を脱着できるように並べて配置できる他の全ての部材、たとえば、平面状の棚板なども使用できる。
【００３０】
本発明は支持フレーム８を以上の構造に特定するものでなく、図５に示す構造とすることもできる。この図の支持フレーム８は、一対の垂直フレーム１２の上下の中間に多段に水平フレーム１３を連結して、水平フレーム１３の両端を突出させて、突出部１４に子株用栽培床５の棚６を載せることもできる。この水平フレーム１３は、一対の垂直フレーム１２を連結し、さらに棚６を載せる台にも併用する。水平フレーム１３は棚６を載せるので、図において上下に５段にあって、両端部を垂直フレーム１２に固定している。棚６は水平フレーム１３に固定されて、支持フレーム８の垂直フレーム１２を自立できる構造に固定している。長い棚の育苗装置は、棚の中間に垂直フレームを固定して棚の荷重を垂直フレームで支持する。
【００３１】
支持フレーム８の棚６に並べられる各々の苗ポット７は、内部に培地を充填して、この培地に養液を供給する必要がある。各苗ポット７には、養液チューブ９で養液が供給される。養液チューブ９は、棚６と平行に配設されて、各々の苗ポット７に養液を供給する。養液チューブ９は供給路１１を介して養液の給液機２６に連結される。給液機２６は、供給路１１と養液チューブ９とを介して苗ポット７の培地２５に養液を供給する。養液チューブ９は、灌水チューブや点滴ホース等、各々の苗ポット７に養液を供給できる全てのチューブが使用できる。
【００３２】
灌水チューブは可撓性のチューブで、一定の間隔で苗ポット７に養液を供給する灌水口（図示せず）を設けている。灌水口のピッチは、苗ポット７を並べているピッチに等しく、各灌水口から各々の苗ポット７に養液が供給される。養液チューブ９は、苗ポット７の上に沿って配設され、子株４に養液を滴下し、空気中に飛散させることなく培地に供給する。点滴ホースは可撓性のホースで、子株用栽培床５に沿って配置される供給路１１に分岐して連結されて、供給路１１から供給される養液を苗ポット７の培地２５に供給する。供給路１１はチーズ１０で分岐して、各子株用栽培床５に配置している養液チューブ９に連結される。図６の点滴ホースは、ランナー固定具２１に固定しているノズル２３から養液を培地２５に供給し、図７の点滴ホースは細いチューブで、後端を供給路１１に連結して、先端を培地に配置して、培地に養液を供給する。養液チューブ９は、養液を培地に滴下して空気中に飛散することなく供給して、炭疽病等の飛沫感染に起因する病気を防止する。
【００３３】
各段に配置される養液チューブ９は養液の供給路１１に連結され、供給路１１から供給される養液を各苗ポット７の培地に供給する。養液チューブ９は親株栽培床２にも配置されて、供給路１１から供給される養液を親株栽培床２と苗ポット７の両方に供給する。
【００３４】
ランナー３と養液チューブ９はランナー固定具２１を介して各苗ポット７の定位置に配置される。ランナー固定具２１がランナー３と養液チューブ９を培地に配置する状態を図６ないし図８に示す。これ等の図に示すランナー固定具２１は挿入アンカー２２を備える。ランナー固定具２１は、挿入アンカー２２を苗ポット７の培地２５に挿入して、苗ポット７の定位置に固定され、各々の苗ポット７に植え付けされる子株に繋がっているランナー３を苗ポット７の定位置に配置し、さらに、各苗ポット７に配置されて培地２５に養液を供給する養液チューブ９をも各苗ポット７の定位置に配置する。ランナー固定具２１がランナー３と養液チューブ９の両方を苗ポット７の定位置に配置する状態で、子株４を苗ポット７で生育させる。
【００３５】
図に示すランナー固定具２１は、苗ポット７の培地２５にスムーズに挿入される複数の挿入アンカー２２を下方に突出して平行に設けている。ランナー固定具２１はプラスチックを板状に成形したもので、下方に突出する複数の挿入アンカー２２を設けている。このランナー固定具２１は、挿入アンカー２２の間をランナー３の保持部として、上部には養液チューブ９の連結部を設けている。ランナー３の保持部は、２本の挿入アンカー２２の間に設けた保持溝２４で、ここにランナー３を案内して挿入アンカー２２を培地２５に挿入して、ランナー３を培地２５の定位置に配置する。この構造は、連続する長いランナー３の途中を保持溝２４に案内し、挿入アンカー２２を培地２５に挿入して、ランナー３を培地２５の定位置に配置できる。
【００３６】
図６のランナー固定具２１は、養液チューブ９の連結部にノズル２３を設けており、ノズル２３を養液チューブ９に連結してノズル２３から養液を培地２５に滴下する。このランナー固定具２１は、ノズル２３を養液チューブ９に連結する状態で、挿入アンカー２２を培地２５に挿入して、養液チューブ９とランナー３とを苗ポット７の定位置に配置し、あるいはノズル２３に養液チューブ９を連結することなく挿入アンカー２２を培地２５に挿入してランナー３を定位置に配置し、その後ノズル２３を養液チューブ９に連結する。
【００３７】
図７のランナー固定具２１は、上部に設けたランナー３の連結部に、可撓性の養液チューブ９を挿入できる複数の貫通穴２８を設けており、この貫通穴２８に養液チューブ９を挿入して養液チューブ９を定位置に配置する。この構造のランナー固定具２１は、養液チューブ９を貫通穴２８に挿入して連結する状態で、ランナー固定具２１を培地２５に挿入してランナー３と養液チューブ９を定位置に配置し、あるいは養液チューブ９をランナー固定具２１に連結することなく培地２５に挿入してランナー３を定位置に配置し、その後養液チューブ９を貫通穴２８に連結して養液チューブ９を苗ポット７の定位置に配置する。
【００３８】
さらに、図８のランナー固定具２１は、３本の挿入アンカー２２を設けて、図において右側２列の挿入アンカー２２の間にランナー３の保持溝２４を設けてここをランナー３の保持部とし、左側２列の挿入アンカー２２の間を養液チューブ９の連結溝としてここを養液チューブ９の連結部としている。このランナー固定具２１は、保持溝２４にランナー３を案内し、連結溝に養液チューブ９を案内して、挿入アンカー２２を培地２５に挿入して、ランナー３と養液チューブ９の両方を苗ポット７の最適位置に配置する。
【００３９】
図６〜図８に示すランナー固定具２１は、ランナー３を苗ポット７の定位置に配置しながら、養液を苗ポット７の最適位置に滴下して供給できる。したがって、この構造は、炭疽病等の飛沫感染に起因する病気をより効果的に防止しながら、培地２５に適切な量の養液を供給できる。
【００４０】
以上の育苗装置は、以下の方法でランナー３から発生する子株４を使用して育苗する。
１．親株栽培床２に所定のピッチで親株１を植え付けし、子株用栽培床５の棚６には、長手方向に同じ大きさの苗ポット７を長手方向に並べる。苗ポット７は隙間なく並べる。ランナー３から発生する子株４を効率よく何れかの苗ポット７に植え付けするためである。
２．親株１からランナー３が垂れ下がるように生育して子株４が発生すると、子株４を苗ポット７に案内する。ランナー固定具２１の挿入アンカー２２を培地２５に挿入して、子株４に繋がっているランナー３と養液チューブ９とを子株を植え付けした苗ポット７の定位置に配置する。苗ポット７に植え付けられた子株４は養液が供給されて生育する。ランナー３は所定の間隔で子株４が発生する。ランナー３は下方に伸びて子株４を次々と発生するので、ランナー３が伸びるに従って下段の棚６にセットしている苗ポット７に子株４を植え付けし、子株４を植え付けした苗ポット７の培地２５に挿入アンカー２２を挿入して、ランナー固定具２１でもって、ランナー３と養液チューブ９とを苗ポット７の定位置に配置する。苗ポット７に植え付けされない余分な子株４はランナー３から切り離す。また、ランナー３が伸びて、多段の棚６に複数の子株４を植え付けした後、ランナー３を切り離して、苗ポット７の子株４をランナー３から切り離す。
ランナー固定具２１は、ランナー３と養液チューブ９を苗ポット７の最適位置に配置するが、ランナー固定具は、養液チューブが養液を供給する位置が最適位置となるように、養液チューブを配置する。親株栽培床２にもランナー固定具でもって、養液チューブ９を固定して養液を供給する。
４．ランナー３から切り離された子株４は、苗ポット７の培地２５で生育して苗となる。
５．子株４が苗まで生育した後、苗ポット７を棚６から取り出して苗を生育させる栽培装置の栽培床や土耕栽培の畑に子株の根鉢を崩さない状態で定植する。苗は、苗ポット７に入れた状態で栽培床や畑に定植され、あるいは苗ポット７から取り出して定植される。
【産業上の利用可能性】
【００４１】
本発明の育苗方法は、イチゴなどの苗を効率よく育苗する方法として有効に使用される。
【符号の説明】
【００４２】
１…親株
２…親株栽培床
３…ランナー
４…子株
５…子株用栽培床５
６…棚
６Ａ…載せ台
６Ｂ…雨樋
７…苗ポット
８…支持フレー
９…養液チューブ
１０…チーズ
１１…供給路
１２…垂直フレーム
１２Ａ…折曲部
１３…水平フレーム
１４…突出部
１５…透水性シート
１６…子株用栽培床
１７…親株用栽培床
１８…親株
１９…ランナー
２０…子株
２１…ランナー固定具
２２…挿入アンカー
２３…ノズル
２４…保持溝
２５…培地
２６…給液機
２８…貫通穴
２９…垂直リブ
３０…サドル
３１…アーム部
３２…連結ネジ
３４…支持ネジ
３５…固定アーム
３６…アンカーロッド
３７…載せプレート
【図１】
2018174805.tif 000003
【図２】
2018174805.tif 000004
【図３】
2018174805.tif 000005
【図４】
2018174805.tif 000006
【図５】
2018174805.tif 000007
【図６】
2018174805.tif 000008
【図７】
2018174805.tif 000009
【図８】
2018174805.tif 000010
【図９】
2018174805.tif 000011
【図１０】
2018174805.tif 000012